(57)【要約】【課題】トレイが載置される複数の載置部の高さ位置の調整を簡易に行うことを可能とする媒体支持装置を提供する。【解決手段】画像が記録される記録媒体がセットされるトレイと、トレイが装着されるトレイ装着部１２とを備え、トレイ装着部１２は、トレイが載置される複数の載置部２７と、複数の載置部２７を個々に昇降可能に支持する支持部２０と、支持部２０に対して、複数の載置部２７の高さ位置を、個々に調整するための複数の調整部２８とを有する。【選択図】図６
2015187034.tif 000002
【特許請求の範囲】
【請求項１】
記録媒体がセットされるトレイと、
前記トレイが装着されるトレイ装着部と、を備え、
前記トレイ装着部は、
前記トレイが載置される複数の載置部と、
前記複数の載置部を個々に昇降可能に支持する支持部と、
前記支持部に対して、前記複数の載置部の高さ位置を、個々に調整するための複数の調整部と、
を有することを特徴とする媒体支持装置。
【請求項２】
前記支持部は、
前記各載置部の昇降をガイドするガイド孔が設けられた複数のガイド部と、
前記複数のガイド部が載置され、前記複数のガイド部が固定された第１固定部と、を有し、
前記各調整部は、前記ガイド孔に入れられた前記各載置部に対して下方から螺合し且つ前記第１固定部に対し回転可能に係合した調整ネジ、を有することを特徴とする請求項１に記載の媒体支持装置。
【請求項３】
前記各ガイド部の側面には、固定孔が設けられ、
前記各調整部は、前記固定孔を通り、前記各ガイド部に対して前記各調整部を締結する固定ネジ、をさらに有することを特徴とする請求項２に記載の媒体支持装置。
【請求項４】
前記トレイは、
前記記録媒体が載置される媒体載置面を有するトレイ本体と、
前記トレイ本体の前記媒体載置面とは反対側の面に設けられた複数のトレイ凸部と、を有し、
前記複数の載置部には、前記複数のトレイ凸部が載置されることを特徴とする請求項１ないし３のいずれか一項に記載の媒体支持装置。
【請求項５】
前記各載置部には、前記各トレイ凸部が係合する係合凹部が設けられていることを特徴とする請求項４に記載の媒体支持装置。
【請求項６】
前記支持部は、
前記各載置部の昇降をガイドするガイド孔が設けられた複数のガイド部と、
前記複数のガイド部が載置され、前記複数のガイド部が固定された第１固定部と、
前記複数のガイド部に載置され、前記複数のガイド部が固定された第２固定部と、を有し、
前記第２固定部には、前記複数のガイド部が設けられた位置に対応して、前記複数のトレイ凸部が挿通する複数の挿通開口が設けられていることを特徴とする請求項４または５に記載の媒体支持装置。
【請求項７】
前記トレイ本体の前記媒体載置面とは反対側の面には、位置決め凸部が設けられ、
前記第２固定部には、前記位置決め凸部と係合する位置決め孔が設けられていることを特徴とする請求項６に記載の媒体支持装置。
【請求項８】
請求項１ないし７のいずれか一項に記載の媒体支持装置と、
前記媒体支持装置に支持された前記記録媒体に対し、画像を記録する記録部と、
を備えたことを特徴とする記録装置。
【発明の詳細な説明】
【技術分野】
【０００１】
本発明は、画像が記録される記録媒体を支持する媒体支持装置および記録装置に関するものである。
【背景技術】
【０００２】
従来、印捺画像が記録される被捺染材がセットされるトレイと、トレイが装着される支持部と、を備えたインクジェット捺染装置が知られている。この支持部は、４箇所に設けられた載置部にトレイが載置される天板部と、底板部と、それぞれ載置部の近傍に設けられ、底板部に対して天板部を昇降させる４つの調整機構とを有し、４箇所の載置部の高さ位置を調整可能となっている（特許文献１参照）。
【先行技術文献】
【特許文献】
【０００３】
【特許文献１】特開２０１３−２２０９１１号公報
【発明の概要】
【発明が解決しようとする課題】
【０００４】
従来のインクジェット捺染装置は、１つの天板部に対して４つの調整機構が設けられているため、一の調整機構によりその近傍に設けられた載置部の高さ位置を調整することにより、他の調整機構が影響を受け、他の調整機構の近傍に設けられた載置部の高さ位置が変動してしまう場合があった。この場合、調整済みの載置部についても、再度調整を行う必要があるため、４箇所の載置部の高さ位置の調整に掛かる時間が長くなってしまう。
【０００５】
本発明は、トレイが載置される複数の載置部の高さ位置の調整を簡易に行うことを可能とする媒体支持装置および記録装置を提供することを課題としている。
【課題を解決するための手段】
【０００６】
本発明の媒体支持装置は、画像が記録される記録媒体がセットされるトレイと、トレイが装着されるトレイ装着部と、を備え、トレイ装着部は、トレイが載置される複数の載置部と、複数の載置部を個々に昇降可能に支持する支持部と、支持部に対して、複数の載置部の高さ位置を、個々に調整するための複数の調整部と、を有することを特徴とする。
【０００７】
この構成によれば、トレイが載置される複数の載置部の高さ位置が、複数の調整部により、個々に調整される。このため、一の調整部により一の載置部の高さ位置を調整した場合に、他の調整部が影響を受けることが防止され、他の載置部の高さ位置が変動することを抑制することができる。
【０００８】
この場合、支持部は、各載置部の昇降をガイドするガイド孔が設けられた複数のガイド部と、複数のガイド部が載置され、複数のガイド部が固定された第１固定部と、を有し、各調整部は、ガイド孔に入れられた各載置部に対して下方から螺合し且つ第１固定部に対し回転可能に係合した調整ネジ、を有することが好ましい。
【０００９】
この構成によれば、載置部に対して調整ネジを正逆回転させると、載置部が、ガイド孔にガイドされながら、昇降する。これにより、複数の載置部の高さ位置を個々に調整することができる。
【００１０】
この場合、各ガイド部の側面には、固定孔が設けられ、各調整部は、固定孔を通り、各ガイド部に対して各調整部を締結する固定ネジ、をさらに有することが好ましい。
【００１１】
この構成によれば、調整ネジを正逆回転させ、載置部の高さ位置を調整した後、固定ネジにより、載置部を高さ位置が調整された位置に確実に固定することができる。
【００１２】
この場合、トレイは、記録媒体が載置される媒体載置面を有するトレイ本体と、トレイ本体の媒体載置面とは反対側の面に設けられた複数のトレイ凸部と、を有し、複数の載置部には、複数のトレイ凸部が載置されることが好ましい。
【００１３】
この構成によれば、複数の載置部に複数のトレイ凸部が載置されることで、トレイが複数点で支持される形態となる。一方、載置部によりトレイを面で支持する形態の場合、支持面積が大きいため、トレイの下面に少しでも凹凸やうねりがあると、凹凸やうねりの影響を受けやすい。これに対し、本構成によれば、支持面積が削減され、トレイ下面の凹凸やうねりによる影響を軽減することができる。
【００１４】
この場合、各載置部には、各トレイ凸部が係合する係合凹部が設けられていることが好ましい。
【００１５】
この場合、支持部は、各載置部の昇降をガイドするガイド孔が設けられた複数のガイド部と、複数のガイド部が載置され、複数のガイド部が固定された第１固定部と、複数のガイド部に載置され、複数のガイド部が固定された第２固定部と、を有し、第２固定部には、複数のガイド部が設けられた位置に対応して、複数のトレイ凸部が挿通する複数の挿通開口が設けられていることが好ましい。
【００１６】
この構成によれば、支持部が、複数のガイド部と、複数のガイド部が固定された第１固定部および第２固定部とを有することで、支持部全体の剛性が高まり、支持部の撓み量が抑制される。したがって、複数の載置部の高さ位置の調整を行う際に、支持部の撓み量を考慮する必要が少なくなる。
【００１７】
この場合、トレイ本体の媒体載置面とは反対側の面には、位置決め凸部が設けられ、第２固定部には、位置決め凸部と係合する位置決め孔が設けられていることが好ましい。
【００１８】
この構成によれば、位置決め凸部と位置決め孔とが係合することで、トレイ装着部に対し、トレイを位置決め状態で装着することができる。
【００１９】
本発明の記録装置は、上記の媒体支持装置と、媒体支持装置に支持された記録媒体に対し、画像を記録する記録部と、を備えたことを特徴とする。
【００２０】
記録部としては、特に限定されるものではなく、例えば、インクジェット方式によりインクを吐出するものを用いることができる。
【図面の簡単な説明】
【００２１】
【図１】本発明の一実施形態に係る記録装置の斜視図である。
【図２】記録装置の媒体支持部周りの右側面図である。
【図３】トレイの底面図である。
【図４】媒体支持部の斜視図である。
【図５】媒体支持部の平面図である。
【図６】媒体支持部の分解斜視図である。
【図７】図５のＶＩＩ−ＶＩＩ線により切断した媒体支持部の断面図である。
【図８】図５のＶＩＩＩ−ＶＩＩＩ線により切断した媒体支持部の断面図である。
【図９】媒体支持部の変形例を示す断面図である。
【発明を実施するための形態】
【００２２】
以下、添付の図面を参照し、本発明の一実施形態に係る記録装置について説明する。この記録装置は、媒体保持部に保持された、Ｔシャツ等の記録媒体に対し、インクジェット方式によりインクを吐出して、画像を記録するものである。
なお、以下では、図に示した「上」「下」「左」「右」「前」「後」を用いて説明するが、これらの方向は説明の便宜上のものであり、本発明の実施に関しては、これらの方向に限定されることはない。
【００２３】
図１に示すように、記録装置１は、記録媒体Ｍを保持する媒体支持部２と、横長略直方体状の記録部３と、媒体支持部２を前後に搬送する搬送部５とを備えている。
【００２４】
記録部３は、媒体支持部２に保持された記録媒体Ｍに対し、画像を記録する。記録部３は、インクジェットヘッド６を搭載したキャリッジ７と、キャリッジ７を介してインクジェットヘッド６を左右に移動させるヘッド移動機構（図示省略）とを備えている。ヘッド移動機構は、モーター駆動のベルト機構により構成されている。
【００２５】
搬送部５は、記録部３の前面に設けられた出入口４を介して、前方のセット位置と、後方の記録開始位置との間で、媒体支持部２を移動させる。搬送部５は、モーター駆動のベルト機構により構成されている。
【００２６】
記録装置１により記録媒体Ｍに画像を記録する際には、まず、セット位置に移動した媒体支持部２に対し、ユーザーにより記録媒体Ｍがセットされる。そして、記録装置１が記録開始の指示を受信すると、搬送部５が、媒体支持部２を、セット位置から出入口４を通って記録開始位置まで移動させる。その後、搬送部５が、媒体支持部２を記録開始位置から前方に間欠移動させると共に、インクジェットヘッド６が、通過する媒体支持部２にセットされた記録媒体Ｍに対し、左右に往復移動しながらインクを吐出する。このようにして、記録装置１は、記録媒体Ｍに画像を記録する記録動作を行う。
【００２７】
図２に示すように、媒体支持部２は、上方から順に、記録媒体Ｍがセットされるトレイ１１と、トレイ１１が着脱可能に装着されるトレイ装着部１２と、トレイ装着部１２を介してトレイ１１を昇降させる昇降機構１３と、搬送部５上で昇降機構１３を支持する支柱１４とを備えている。なお、ユーザーは、トレイ１１の上面つまり媒体載置面１１ａに記録媒体Ｍを載置した後、図示しない保持枠をトレイ１１に嵌め込むようにして、記録媒体Ｍをトレイ１１にセットする。
【００２８】
昇降機構１３は、支柱１４に対して回転可能な回転部１５と、回転部１５を回転操作するためのレバー１６とを備えている。回転部１５の中心には、トレイ装着部１２の下面に設けられた位置決め用の軸部１７が挿入する貫通孔（図示省略）が設けられている。また、回転部１５の上面には、周方向に３分割した領域に、それぞれ円弧状の階段部（図示省略）が形成されている。３つの階段部には、トレイ装着部１２の下面に設けられた３つの昇降凸部１８が係合している。レバー１６を正逆回転操作することにより、各昇降凸部１８が各階段部に沿って昇降し、トレイ装着部１２およびこれに装着されたトレイ１１が昇降する。
【００２９】
図３に示すように、トレイ１１は、略矩形板状のトレイ本体２１と、トレイ本体２１の下面の４箇所に矩形状に分散して設けられた４つのトレイ凸部２２と、トレイ本体２１の下面の左右略中間部において前後に設けられた２つの位置決めピン２３とを備えている。４つのトレイ凸部２２は、後述する４つの載置部２７に載置される。４つのトレイ凸部２２は、先端が略半球状に丸まった略円柱状に形成されており、相互の長さは略均一である。一方、位置決めピン２３は、後述する位置決め孔５８に挿入される。位置決めピン２３は、トレイ凸部２２よりも長く、先端が面取りされた略円柱状に形成されている。
【００３０】
図４ないし図８に示すように、トレイ装着部１２は、全体として略扁平直方体状に構成されている。トレイ装着部１２は、上記した４つのトレイ凸部２２が載置される略短円柱状の４つの載置部２７と、４つの載置部２７を昇降可能に支持する支持部２０と、支持部２０に対して４つの載置部２７の高さ位置を個々に調整する調整部２８とを備えている。支持部２０は、上方が開放された箱部２４と、箱部２４の上方開放部を閉塞する蓋部２５と、箱部２４および蓋部２５で構成される箱体の内部に設けられた略直方体状の４つのガイド部２６とを備えている。調整部２８は、４本の調整ネジ３１と、４本の固定ネジ３２とを備えている。各ガイド部２６は、４本の箱側締結ネジ３３により箱部２４に固定され、また、４本の蓋側締結ネジ３４により蓋部２５に固定されている。固定ネジ３２、箱側締結ネジ３３および蓋側締結ネジ３４は、小ネジにより構成されている。調整ネジ３１については後述する。
なお、箱部２４は、「第１固定部」の一例であり、蓋部２５は、「第２固定部」の一例である。
【００３１】
箱部２４は、板金を曲げ加工および穴あけ加工等により平面視略矩形状の浅い箱型に構成したものである。箱部２４は、底面部４１、箱前面部４２、箱後面部４３、箱左側面部４４および箱右側面部４５を備えている。箱部２４には、底面部４１の四隅に４つのガイド部２６が載置され、固定されている。
【００３２】
底面部４１の四隅には、それぞれ、調整ネジ挿通孔４６と、調整ネジ挿通孔４６の周囲に設けられた４本の箱側締結ネジ挿通孔４７とが設けられている。調整ネジ挿通孔４６には、調整ネジ３１が下方から挿通する。また、箱側締結ネジ挿通孔４７には、箱側締結ネジ３３が下方から挿通する。さらに、箱前面部４２および箱後面部４３の左右両端部には、上方から深く矩形状に切り欠かれた切欠き部４８が設けられている。切欠き部４８は、後述する窓部５９と合致して、固定ネジ３２が前方または後方から入れられるネジ導入口４９となる。
【００３３】
蓋部２５は、箱部２４と同様に、板金を曲げ加工および穴あけ加工等により平面視略矩形状に構成したものである。蓋部２５は、天面部５１、蓋前面部５２、蓋後面部（図示省略）、蓋左側面部５４および蓋右側面部（図示省略）を備えている。蓋部２５は、天面部５１の四隅が４つのガイド部２６の上面に載置され、４つのガイド部２６が固定されている。
【００３４】
天面部５１の四隅には、それぞれ、円形の挿通開口５６と、挿通開口５６の周囲に設けられた４本の蓋側締結ネジ挿通孔５７とが設けられている。挿通開口５６には、上記したトレイ凸部２２が上方から挿通する。また、蓋側締結ネジ挿通孔５７には、蓋側締結ネジ３４が上方から挿通する。また、天面部５１の左右略中間部には、２つの位置決め孔５８が前後に設けられている。位置決め孔５８には、上記した位置決めピン２３が挿入する。これにより、トレイ装着部１２に対し、トレイ１１が位置決め状態で装着される。なお、前方の位置決め孔５８は円形に形成され、後方の位置決め孔５８は略矩形状に形成されている。さらに、蓋前面部５２および蓋後面部の左右両端部には、略矩形状の窓部５９が開口形成されている。窓部５９は、上記の切欠き部４８と合致して、固定ネジ３２が前方または後方から入れられるネジ導入口４９となる。
なお、位置決めピン２３の長さによっては、上記した箱部２４の底面部４１にも、位置決めピン２３が挿入する位置決め用の孔を設けるようにしてもよい。
【００３５】
ガイド部２６には、上下に貫通形成された円形のガイド孔６１と、平面視四隅において上下に貫通形成された４つの締結ネジ孔６２と、前面または後面に形成された上下に長い固定長孔６３とが設けられている。
なお、固定長孔６３は、「固定孔」の一例である。
【００３６】
ガイド孔６１は、孔内に入れられた載置部２７を昇降可能にガイドする。４つのガイド部２６のうち、前方に設けられた２つのガイド部２６については、ガイド孔６１が中心よりも前方寄りに設けられ、後方に設けられた２つのガイド部２６については、ガイド孔６１が中心よりも後方寄りに設けられている。
【００３７】
締結ネジ孔６２には、下方から、箱側締結ネジ挿通孔４７を介して、箱側締結ネジ３３が螺合している。箱側締結ネジ３３を締め付けることにより、ガイド部２６が箱部２４に固定される。また、締結ネジ孔６２には、上方から、蓋側締結ネジ挿通孔５７を介して、蓋側締結ネジ３４が螺合している。蓋側締結ネジ３４を締め付けることにより、ガイド部２６が蓋部２５に固定される。なお、締結ネジ孔６２は、上下に貫通形成されている必要はなく、特に図示しないが、蓋側締結ネジ３４が螺合するネジ孔と、箱側締結ネジ３３が螺合するネジ孔とを別々に設けてもよい。
【００３８】
固定長孔６３は、４つのガイド部２６のうち、前方に設けられた２つのガイド部２６については、ガイド部２６の前面に設けられ、後方に設けられた２つのガイド部２６については、ガイド部２６の後面に設けられている。固定長孔６３には、固定ネジ３２が前方または後方から挿通する。固定長孔６３は、載置部２７の昇降可能幅に対応した長さに形成されている。なお、載置部２７の昇降可能幅は、例えば５ｍｍである。
【００３９】
載置部２７は、ガイド孔６１に対して上下にスライド可能な程度に、ガイド孔６１よりも僅かに小径の円柱状に形成されている。載置部２７には、下面の略中心に形成された調整ネジ孔７１と、上面の略中心に形成された円形の係合凹部７２と、外周側面に形成された固定ネジ孔７３と、が設けられている。調整ネジ孔７１は、段付き孔状に形成されており、下方から調整ネジ３１が螺合する。係合凹部７２には、上方からトレイ凸部２２が係合する。すなわち、係合凹部７２の底面に、トレイ凸部２２の先端が突き当たる。固定ネジ孔７３には、固定長孔６３を介して、前方または後方から固定ネジ３２が螺合する。固定ネジ３２を締め付けることにより、載置部２７が、ガイド部２６に固定される。
【００４０】
調整ネジ３１は、４つの載置部２７の高さ位置を個々に調整するためのものである。４つの載置部２７の高さ位置を調整することで、４つの載置部２７に載置されるトレイ１１の媒体載置面１１ａの傾きを調整することができる。これにより、媒体載置面１１ａの全域において、インクジェットヘッド６のノズル面と媒体載置面１１ａとの間のギャップが、略均一となるように調整することができる。
【００４１】
調整ネジ３１は、頭部８１と、頭部８１に連なる首部８２と、首部８２に連なる雄ネジ部８３とで構成されている。頭部８１は、六角穴付き且つフランジ付きのものである。頭部８１と箱部２４の底面部４１下面との間には、座金８４が設けられている。首部８２には、止め輪８６が嵌合する環状溝８５が形成されている。止め輪８６は、底面部４１の上面側に位置する環状溝８５に嵌合することで、調整ネジ３１を、箱部２４に対して回転可能に抜止めする。雄ネジ部８３は、載置部２７の調整ネジ孔７１に螺合する。
【００４２】
調整ネジ３１と調整ネジ孔７１との間に構成されたネジ機構により、載置部２７に対して調整ネジ３１を正逆回転させると、載置部２７が、ガイド孔６１にガイドされながら、昇降する。これにより、４つの載置部２７の高さ位置を個々に調整することができる。
【００４３】
固定ネジ３２は、固定長孔６３を介して、固定ネジ孔７３に螺合することで、ガイド部２６に対して載置部２７を固定する。載置部２７は、調整ネジ３１を介して箱部２４に支持されているものの、調整ネジ３１と調整ネジ孔７１とのガタ等により、上下に動いてしまうおそれがあるところ、ユーザーが、載置部２７の高さ位置を調整した後、固定ネジ３２を締め付けることで、載置部２７を高さ位置が調整された位置に確実に固定することができる。
【００４４】
以上のように、本実施形態の媒体支持部２によれば、トレイ１１が載置される４つの載置部２７の高さ位置が、４つの調整ネジ３１により、個々に調整される。このため、一の調整ネジ３１により一の載置部２７の高さ位置を調整した場合に、他の調整ネジ３１が影響を受けることが防止され、他の載置部２７の高さ位置が変動することを抑制することができる。したがって、調整済みの載置部２７について、再度調整を行う必要がなく、トレイ１１が載置される複数の載置部２７の高さ位置の調整を簡易に行うことができる。
【００４５】
本実施形態の媒体支持部２によれば、４つの載置部２７には、４つのトレイ凸部２２が載置されることで、トレイ１１が４点で支持される形態となる。一方、載置部２７によりトレイ１１を面で支持する形態の場合、支持面積が大きいため、トレイ１１の下面に少しでも凹凸やうねりがあると、凹凸やうねりの影響を受けやすい。これに対し、本実施形態の構成によれば、支持面積が削減され、トレイ１１下面の凹凸やうねりによる影響を軽減することができる。
なお、載置部２７およびトレイ凸部２２の個数は、特に限定されるものではないが、それぞれ３個以上であることが好ましい。
【００４６】
本実施形態の媒体支持部２によれば、支持部２０が、４つのガイド部２６と、４つのガイド部２６の上下に固定された蓋部２５および箱部２４とを有することで、支持部２０全体の剛性が高まり、支持部２０の撓み量が抑制される。したがって、４つの載置部２７の高さ位置の調整を行う際に、支持部２０の撓み量を考慮する必要が少なくなる。
【００４７】
なお、調整部２８としては、特に限定されるものではないが、例えば、ネジ機構、カム機構などを用いることができる。
また記録媒体Ｍとしては、特に限定されるものではないが、例えば、布帛を好適に用いることができ、Ｔシャツなどの衣類を特に好適に用いることができる。
【００４８】
図９に、媒体支持部２の変形例を示す。図９に示すように、載置部２７の係合凹部７２をネジ穴とし、トレイ本体２１およびトレイ凸部２２にネジ（図示省略）が挿入される挿入孔９２を設け、ネジを係合凹部７２に螺合することで、トレイ本体２１およびトレイ凸部２２を、載置部２７に対して固定する構成としてもよい。こうすることで、載置部２７に対するトレイ１１の位置を固定することができる。
【符号の説明】
【００４９】
２：媒体支持部、１１：トレイ、１２：トレイ装着部、２０：支持部、２７：載置部、２８：調整部、Ｍ：記録媒体
【図１】
2015187034.tif 000003
【図２】
2015187034.tif 000004
【図３】
2015187034.tif 000005
【図４】
2015187034.tif 000006
【図５】
2015187034.tif 000007
【図６】
2015187034.tif 000008
【図７】
2015187034.tif 000009
【図８】
2015187034.tif 000010
【図９】
2015187034.tif 000011